(57)【要約】【課題】ディザリングノイズを最小化することができるようなプラズマディスプレイパネルの駆動装置及び駆動方法を提供する。【解決手段】本発明に係るプラズマディスプレイパネルの駆動装置は、サブピクセルのうち赤色サブピクセルのディザリングパターンが格納される赤色ディザリングマスクパターンと、サブピクセルのうち緑色サブピクセルのディザリングパターンが格納される緑色ディザリングマスクパターンと、サブピクセルのうち青色サブピクセルのディザリングパターンが格納される青色ディザリングマスクパターンと、を備え、赤色ディザリングマスクパターン、緑色ディザリングマスクパターン及び青色ディザリングマスクパターンは、異なって設定される。【選択図】図７
2005173603.tif 000002
【特許請求の範囲】
【請求項１】
ディザリングをサブピクセル単位で行うためのプラズマディスプレイパネルの駆動装置において、
前記サブピクセルのうち赤色サブピクセルのディザリングパターンが格納される赤色ディザリングマスクパターンと、
前記サブピクセルのうち緑色サブピクセルのディザリングパターンが格納される緑色ディザリングマスクパターンと、
前記サブピクセルのうち青色サブピクセルのディザリングパターンが格納される青色ディザリングマスクパターンと、を備え、
前記赤色ディザリングマスクパターン、緑色ディザリングマスクパターン及び青色ディザリングマスクパターンは、それぞれ互いに異なって設定されることを特徴とするプラズマディスプレイパネルの駆動装置。
【請求項２】
前記赤色ディザリングマスクパターン、緑色ディザリングマスクパターン及び青色ディザリングマスクパターンそれぞれに含まれる“１”のディザ値の位置が、異なって設定されることを特徴とする請求項１記載のプラズマディスプレイパネルの駆動装置。
【請求項３】
.
前記緑色ディザリングマスクパターンは、前記赤色ディザリングマスクパターンに含まれた“１”のディザ値を少なくとも１ｂｉｔ以上左／右にシフトして設定されることを特徴とする請求項２記載のプラズマディスプレイパネルの駆動装置。
【請求項４】
前記緑色ディザリングマスクパターンは、前記赤色ディザリングマスクパターンに含まれた“１”のディザ値を右に１ｂｉｔシフトして設定されることを特徴とする請求項３記載のプラズマディスプレイパネルの駆動装置。
【請求項５】
前記緑色ディザリングマスクパターンは、前記赤色ディザリングマスクパターンに含まれた“１”のディザ値を左に１ｂｉｔシフトして設定されることを特徴とする請求項３記載のプラズマディスプレイパネルの駆動装置。
【請求項６】
前記青色ディザリングマスクパターンは、前記緑色ディザリングマスクパターンに含まれた“１”のディザ値を少なくとも１ｂｉｔ以上左／右にシフトして設定されることを特徴とする請求項２記載のプラズマディスプレイパネルの駆動装置。
【請求項７】
前記青色ディザリングマスクパターンは、前記緑色ディザリングマスクパターンに含まれた“１”のディザ値を右に１ｂｉｔシフトして設定されることを特徴とする請求項６記載のプラズマディスプレイパネルの駆動装置。
【請求項８】
.
前記青色ディザリングマスクパターンは、前記緑色ディザリングマスクパターンに含まれた“１”のディザ値を左に１ｂｉｔシフトして設定されることを特徴とする請求項６記載のプラズマディスプレイパネルの駆動装置。
【請求項９】
.
ディザリングをサブピクセル単位で行うためのプラズマディスプレイパネルの駆動方法において、
前記サブピクセルのうち赤色サブピクセルの第１ディザリングパターンを格納する段階と、
前記サブピクセルのうち緑色サブピクセルの第２ディザリングパターンを格納する段階と、
前記サブピクセルのうち青色サブピクセルの第３ディザリングパターンを格納する段階と、を含み、;
前記第１ディザリングパターン、第２ディザリングパターン及び第３ディザリングパターンは、それぞれ互いに異なって設定されることを特徴とするプラズマディスプレイパネルの駆動方法。
【請求項１０】
前記第２ディザリングパターンは、前記第１ディザリングパターンを少なくとも１ｂｉｔ以上左／右にシフトして求められることを特徴とする請求項９記載のプラズマディスプレイパネルの駆動方法。
【請求項１１】
前記第３ディザリングパターンは、前記第２ディザリングパターンを少なくとも１ｂｉｔ以上左／右にシフトして求められることを特徴とする請求項９記載のプラズマディスプレイパネルの駆動方法。
【発明の詳細な説明】
【技術分野】
【０００１】
本発明は、プラズマディスプレイパネルの駆動装置及び駆動方法に係り、特に、ディザリングノイズを最小化することができるようなプラズマディスプレイパネルの駆動装置及び駆動方法に関する。
【背景技術】
【０００２】
近年、平板ディスプレイ装置として大型パネルの製作が容易であるプラズマディスプレイパネル（Plasma Display Panel；以下、「ＰＤＰ」という）が注目を浴びている。ＰＤＰは、デジタルビデオデータによって各画素のそれぞれのガス放電期間を調節することによって画像を表示する。このようなＰＤＰとしては、図１のように、３電極を備えて交流電圧で駆動されるＰＤＰが代表的なものである。
【０００３】
図１に示した交流型ＰＤＰの放電セルは、上部基板１０に形成されたサステイン電極対１２Ａ、１２Ｂと、下部基板１８に形成されたデータ電極２０と、を備える。
【０００４】
サステイン電極対１２Ａ、１２Ｂのそれぞれは透明電極と金属電極の二重層構造を有する。このようなサステイン電極対１２Ａ、１２Ｂは、アドレス放電のためのスキャン信号とサステイン放電のためのサステイン信号の供給を受けるスキャン電極１２Ａと、そのスキャン電極１２Ａと交互にサステイン信号の供給を受けるサステイン電極１２Ｂと、に分けられる。データ電極２０は、サステイン電極対１２Ａ、１２Ｂと交差するように形成され、アドレス放電のためのデータ信号の供給を受ける。
【０００５】
サステイン電極対１２Ａ、１２Ｂが形成された上部基板１０には上部誘電体層１４と保護膜１６が積層され、データ電極２０が形成された下部基板１８には下部誘電体層２２が形成される。上部誘電体層１４と下部誘電体層２２には、放電によって生成された電荷が蓄積される。保護膜１６は、放電の際にプラズマ粒子のスパッタリング（sputtering）による上部誘電体層１４の損傷を防止し、２次電子の放出效率を増加させる。このような誘電体層１４、２２と保護膜１６は、外部から印加される駆動電圧を低減できるようにする。
【０００６】
下部誘電体層２２が形成された下部基板１８には隔壁２４が形成され、その下部誘電体層２２及び隔壁２４の表面には蛍光体層２６が形成される。隔壁２４は、放電空間を分離してガス放電によって生成された紫外線が隣接した放電空間に漏れることを防止する。蛍光体層２６は、ガス放電で生成された紫外線によって発光して赤色(Ｒ)、緑色(Ｇ)または青色(Ｂ)の可視光を発生させる。また、放電空間にはガス放電のための不活性ガスが充填される。
【０００７】
このような放電セルはデータ電極２０およびスキャン電極１２Ａによるアドレス放電によって選択され、この選択された放電セルはサステイン電極対１２Ａ、１２Ｂによるサステイン放電によって放電を維持する。また、放電セルは、サステイン放電時に生成された紫外線で蛍光体２６を発光させて赤色(Ｒ）、緑色(Ｇ)及び青色(Ｂ)の可視光を放出する。この場合、放電セルは、ビデオデータによってサステイン放電期間、すなわちサステイン放電回数を調節して映像表示に必要な階調（Gray Scale）を具現する。そして、赤色(Ｒ）、緑色(Ｇ)、青色(Ｂ)の蛍光体２６がそれぞれ塗布された３個の放電セルの組み合わせによって画素のカラーを具現する。
【０００８】
このようなＰＤＰを駆動する方法としては、アドレス期間とディスプレイ期間、すなわちサステイン期間とに分けて駆動するＡＤＳ（Address and Display Separated）駆動方法が代表的なものである。図２に示すように、ＡＤＳ駆動方法では、一つのフレーム１Ｆをビデオデータの各ビットに該当する複数のサブフィールドＳＦ１〜ＳＦ８に分割する。また、サブフィールドＳＦ１〜ＳＦ８のそれぞれは、放電セルの初期化のためのリセット期間ＲＰＤと、放電セルの選択のためのアドレス期間ＡＰＤと、選択された放電セルの放電維持のためのサステイン期間ＳＰＤと、にさらに分割される。ここで、サステイン期間ＳＰＤでサブフィールドＳＦ１〜ＳＦ８別に異なる加重値を付与し、ビデオデータによってそのサステイン期間ＳＰＤを組み合わせることにより、ＰＤＰは該当階調を具現する。
【０００９】
このような従来のＰＤＰでは、多様な階調の画像を表示するために誤差拡散方法及びディザリング方法などを利用した。
【００１０】
誤差拡散方法では、フロイド・スタインバーグ（Floyd-Steinberg）誤差拡散フィルターなどを用いてデジタルビデオデータの量子化誤差データを算出し、算出した誤差データを加重値を異にして隣接した画素に拡散させる。ところが、このような誤差拡散方法は、隣接した画素に対する誤差拡散係数（すなわち、加重値）が一定に設定されていて、ライン毎にそしてフレーム毎に繰り返されるため、その一定の誤差拡散係数による誤差拡散模様が発生するという問題点がある。
【００１１】
ディザリング方法では、入力データに対応して多数のフレーム、多数のライン及び多数の列を含むディザマスクパターンを用いて点灯すべき放電セルを追加的に選択することにより、表示階調の範囲を拡張させる。
【００１２】
図３は、従来のディザマスクパターンを示す図である。図３におけるディザマスクパターンは、多数のフレームパターン（例えば、４個のフレームパターン）を備え、多様な階調（０、１、２、...）に対応して備えられる（ディザマスクパターンに対応する階調値は多様に設定され得る）。図３では説明の便宜のために０〜２の階調に対応するディザマスクパターンのみを示すことにする。
【００１３】
図３を参照すると、ディザマスクパターンは多様な階調（０,１,２...）に対応して互いに異なって設定される。また、ディザマスクパターンは柔らかい階調が表現できるようにフレーム、ライン及びピクセルに対応して異なって設定される。すなわち、ディザマスクパターンのそれぞれにおいてディザ値“１”の位置はフレーム、ライン及びピクセルに対応して異なって設定される。ここで、ディザマスクパターンにおいてディザ値“０”は入力データに関係なくオフセルとして選択され、ディザ値“１”は入力データに対応してオンセルまたはオフセルとして選択される。
【００１４】
図４を参照して動作過程を詳しく説明する。図４において０、１、２は一番目のフレーム１Ｆに対応してサブ画素セルのそれぞれに入力される階調値を意味する。実際ディザリングを行うディザリング部には入力階調値に対応する多様な階調値が入力される。図４では、説明の便宜のために０〜２の階調のみがディザリング部に入力されると仮定して説明する。先ず、１カラム−１ロウ（１−１）の位置のサブピクセルに１のデータが入力される。
【００１５】
ここで、ディザマスクパターンの一番目のフレーム、１のデータ、１カラム−１ロウ（１−１）の位置は“１”のディザ値を有するので、サブピクセルはオンセルとして選択される。その後、２カラム−１ロウ（２−１）、３カラム−１ロウ（３−１）には０のデータが入力されるので、一番目のフレーム、０のデータ、それぞれの位置に対応してオフセルとして選択される。また、４カラム−１ロウ（４−１）には２のデータが入力される。ここで、ディザマスクパターンの一番目のフレーム、２のデータ、４カラム−１ロウ（４−１）の位置は“０”のディザ値を有するので、サブピクセルはオフセルとして選択される。実際、従来のディザリング部はこのような方法を繰り返すことで点灯すべきサブ画素セルを選択する。
【００１６】
一方、ディザリングをサブピクセル単位で行うために、図５のように赤色(Ｒ)サブピクセル、緑色(Ｇ)サブピクセル及び青色(Ｂ)サブピクセルに対応してディザマスクパターンがそれぞれ備えられる。ここで、赤色(Ｒ)サブピクセルのディザマスクパターン、緑色(Ｇ)サブピクセルのディザマスクパターン及び青色(Ｂ)サブピクセルのディザマスクパターンは、同一に設定される。換言すれば、それぞれのディザマスクパターンにおいて“１”のディザ値の位置は同一に設定される。
【００１７】
しかし、このように赤色(Ｒ）、緑色(Ｇ)及び青色(Ｂ)サブピクセルのディザマスクパターンが同一に設定されると、局所的に集中した光が発生し、この光がノイズとして作用するようになる。言い換えれば、図５に示したそれぞれのディザマスクパターンにおいてディザ値“１”の位置をサブピクセルに表示すると、図６のように“１”が集中配置される。
【００１８】
これを詳しく説明すれば、図５において４個のフレーム１Ｆ〜４Ｆの“１”のディザ値をサブピクセルに対応して表示すると、図６のように“１”が集中的に配置されるとともに特定パターンを構成する。したがって、画像を表示するときに局所的に集中した光が発生し、この光が観察者の気になるノイズとして作用することになる。
【発明の開示】
【発明が解決しようとする課題】
【００１９】
本発明は、かかる従来の問題点を解決するためのもので、その目的は、ディザリングノイズを最小化することができるようなプラズマディスプレイパネルの駆動装置及び駆動方法を提供することにある。
【課題を解決するための手段】
【００２０】
本発明に係るプラズマディスプレイパネルの駆動装置は、サブピクセルのうち赤色サブピクセルのディザリングパターンが格納される赤色ディザリングマスクパターンと、サブピクセルのうち緑色サブピクセルのディザリングパターンが格納される緑色ディザリングマスクパターンと、サブピクセルのうち青色サブピクセルのディザリングパターンが格納される青色ディザリングマスクパターンと、を備え、赤色ディザリングマスクパターン、緑色ディザリングマスクパターン及び青色ディザリングマスクパターンは、それぞれ互いに異なって設定される。
【００２１】
前記赤色ディザリングマスクパターン、緑色ディザリングマスクパターン及び青色ディザリングマスクパターンのそれぞれに含まれる“１”のディザ値の位置が、異なって設定される。
【００２２】
前記緑色ディザリングマスクパターンは、赤色ディザリングマスクパターンに含まれた“１”のディザ値を少なくとも１ｂｉｔ以上左／右にシフトして設定される。
【００２３】
前記緑色ディザリングマスクパターンは、赤色ディザリングマスクパターンに含まれた“１”のディザ値を右に１ｂｉｔシフトして設定される。
【００２４】
前記緑色ディザリングマスクパターンは、赤色ディザリングマスクパターンに含まれた“１”のディザ値を左に１ｂｉｔシフトして設定される。
【００２５】
前記青色ディザリングマスクパターンは、緑色ディザリングマスクパターンに含まれた“１”のディザ値を少なくとも１ｂｉｔ以上左／右にシフトして設定される。
【００２６】
前記青色ディザリングマスクパターンは、緑色ディザリングマスクパターンに含まれた“１”のディザ値を右に１ｂｉｔシフトして設定される。
【００２７】
前記青色ディザリングマスクパターンは、緑色ディザリングマスクパターンに含まれた“１”のディザ値を左に１ｂｉｔシフトして設定される。
【００２８】
本発明に係るプラズマディスプレイパネルの駆動方法は、サブピクセルのうち赤色サブピクセルの第１ディザリングパターンを格納する段階と、サブピクセルのうち緑色サブピクセルの第２ディザリングパターンを格納する段階と、サブピクセルのうち青色サブピクセルの第３ディザリングパターンを格納する段階と、を含み、第１ディザリングパターン、第２ディザリングパターン及び第３ディザリングパターンは、それぞれ互いに異なって設定される。
【００２９】
前記第２ディザリングパターンは、第１ディザリングパターンを少なくとも１ｂｉｔ以上左／右にシフトして求められる。
【００３０】
前記第３ディザリングパターンは、第２ディザリングパターンを少なくとも１ｂｉｔ以上左／右にシフトして求められる。
【発明の効果】
【００３１】
本発明に係るプラズマディスプレイパネルの駆動装置及び駆動方法によれば、赤色ディザマスクパターン、緑色ディザマスクパターン及び青色ディザマスクパターンを異なって設定することにより、光が集中的に発生することを防止し、これによりディザリングノイズを最小化することができる。
【発明を実施するための最良の形態】
【００３２】
以下、本発明の実施形態を添付図を参照して詳しく説明する。
【００３３】
図７は、本発明の実施形態に係るディザマスクパターンを示す。
【００３４】
図７を参照すると、本発明の実施形態に係るディザマスクパターンは、赤色(Ｒ)サブピクセル、緑色(Ｇ)サブピクセル及び青色(Ｂ)サブピクセルのそれぞれに対応して備えられる。ここで、赤色(Ｒ)サブピクセルのディザマスクパターン、緑色(Ｇ)サブピクセルのディザマスクパターン及び青色(Ｂ)サブピクセルのディザマスクパターンは、互いに異なって設定される。
【００３５】
これを詳しく説明すると、緑色(Ｇ)サブピクセルのディザマスクパターンは、赤色(Ｒ)サブピクセルのディザマスクパターンの“１”のディザ値を少なくとも１ｂｉｔ以上左／または右にシフトして設定される。例えば、図７のように緑色(Ｇ)サブピクセルのディザマスクパターンは、赤色(Ｒ)サブピクセルのディザマスクパターンの“１”のディザ値を右に１ｂｉｔシフトして設定される。また赤色(Ｒ)サブピクセルのディザマスクパターンの“１”のディザ値を左に１ｂｉｔシフトして、緑色(Ｇ)サブピクセルのディザマスクパターンを設定することができる。
【００３６】
青色(Ｂ)サブピクセルのディザマスクパターンは、緑色(Ｇ)サブピクセルのディザマスクパターンの“１”のディザ値を少なくとも１ｂｉｔ以上左／または右にシフトして設定される。例えば、図７のように青色(Ｂ)サブピクセルのディザマスクパターンは、緑色(Ｇ)サブピクセルのディザマスクパターンの“１”のディザ値を右に１ｂｉｔシフトして設定される。また緑色(Ｇ)サブピクセルのディザマスクパターンの“１”のディザ値を左に１ｂｉｔシフトして、青色(Ｂ)サブピクセルのディザマスクパターンを設定することができる。
【００３７】
このように赤色(Ｒ）、緑色(Ｇ)及び青色(Ｂ)サブピクセルのそれぞれのディザマスクパターンにおいて“１”のディザ値の位置が異なって設定されると、光が集中して発生するディザリングノイズを防止することができる。言い換えれば、図７に示したそれぞれのディザマスクパターンにおいて“１”の位置をサブピクセルに表示すると、図８のように“１”は多様に分散して位置する。
【００３８】
それを詳しく説明すると、図７において４個のフレーム１Ｆ〜４Ｆの“１”のディザ値をサブピクセルに対応して表示すると、“１”のディザ値は図８のように多様に分散して位置する。したがって、本発明では、ディザリングによって光が集中的に発生することを防止することができ、これによりディザリングノイズを最小化することができる。
【図面の簡単な説明】
【００３９】
【図１】従来の３電極交流面放電型プラズマディスプレイパネルの放電セル構造を示す斜視図である。
【図２】プラズマディスプレイパネルの１フレームを示す図である。
【図３】従来のディザマスクパターンを示す図である。
【図４】外部から入力される階調値に対応して図３のディザマスクパターンによって点灯するセルを示す図である。
【図５】従来のサブピクセル単位のディザマスクパターンを示す図である。
【図６】図５に示したディザマスクパターンにおいて“１”のディザ値をサブピクセルに表示して示す図である。
【図７】本発明の実施形態に係るサブピクセル単位のディザマスクパターンを示す図である。
【図８】図７に示したディザマスクパターンにおいて“１”のディザ値をサブピクセルに表示して示す図である。
【図１】
2005173603.tif 000003
【図２】
2005173603.tif 000004
【図３】
2005173603.tif 000005
【図４】
2005173603.tif 000006
【図５】
2005173603.tif 000007
【図６】
2005173603.tif 000008
【図７】
2005173603.tif 000009
【図８】
2005173603.tif 000010